(57)【要約】【課題】通常のパソコンなどで作成したファイルを効率的に配信することを可能とするファイル配信装置、これに対応するファイル受信装置、およびファイル伝送システムを提供する。【解決手段】ファイル分割部１２は、ファイルのデータを分割してパケットデータを生成する。ＩＰカプセル化部１３は、パケットデータにＵＤＰヘッダとＩＰヘッダとを付加し、ＵＬＥに従って、パケットデータに、ヘッダ情報としてフラグおよびパケットサイズの情報を付加することによってカプセル化したパケットデータを生成する。ＭＰＥＧ―２ＴＳ変換部１４は、カプセル化されたパケットデータに対して、ファイルであることを表わすＰＩＤおよびＴＳヘッダ情報を付加し、ＭＰＥＧトランスポートストリーム形式のパケットデータを生成する。ＯＦＤＭ変調部１５は、ＭＰＥＧトランスポートストリームをＯＦＤＭ変調する。【選択図】図２
2013175820.tif 000002
【特許請求の範囲】
【請求項１】
ファイルを蓄積する蓄積部と、
前記蓄積部内のファイルのデータを分割してパケットデータを生成する分割部と、
前記生成されたパケットデータにＵＤＰ（User Datagram Protocol）ヘッダとＩＰ（Internet Protocol）ヘッダとを付加し、ＵＬＥ（Unidirectional Lightweight Encapsulation）に従って、前記パケットデータに、ヘッダ情報としてフラグおよびパケットサイズの情報を付加することによってカプセル化したパケットデータを生成するカプセル化部と、
前記カプセル化されたパケットデータに対して、前記蓄積部内のファイルであることを表わすＰＩＤ（Program ID）およびＴＳ（Transport Stream）ヘッダ情報を付加し、ＭＰＥＧ（Moving Picture Experts Group）トランスポートストリーム形式のパケットデータを生成するＭＰＥＧ変換部と、
ＭＰＥＧトランスポートストリーム形式のパケットデータからなるストリームをＯＦＤＭ（Orthogonal Frequency Division Multiplexing）変調する変調部と、
前記変調されたデータを送信する送信部とを備えた、ファイル配信装置。
【請求項２】
前記分割部は、前記ファイルを分割して、ＦＬＵＴＥ（File Delivery over Unidirectional Transport）形式のパケットデータに変換し、
前記ＦＬＵＴＥ形式のパケットデータには、前記ファイルのサイズを示す情報および前記ファイルのデータが含まれる複数のパケットデータの中の順番を示す情報が付加される、請求項１記載のファイル配信装置。
【請求項３】
前記カプセル化部は、さらに、ＲＯＨＣ（Robust Header Compression）アルゴリズムに従って、前記付加されたＵＤＰヘッダおよびＩＰヘッダを圧縮する、請求項２記載のファイル配信装置。
【請求項４】
前記蓄積部は、画像データを含む画像ファイル、および前記画像ファイルの表示を制御する制御命令を含む制御ファイルを記憶する、請求項１記載のファイル配信装置。
【請求項５】
ＯＦＤＭ（Orthogonal Frequency Division Multiplexing）変調されたデータを受信する受信部と、
前記受信したＯＦＤＭ変調されたデータを復調する復調部と、
復調されたデータからファイルを含むＭＰＥＧ（Moving Picture Experts Group）トランスポートストリーム形式のパケットデータを、ＰＩＤ（Program ID）に基づいて抽出し、抽出したパケットからＰＩＤおよびＴＳ（Transport Stream）ヘッダ情報を除去する抽出部と、
前記抽出したパケットからヘッダ情報を識別ＩＤおよびＵＤＰ（User Datagram Protocol）とＩＰ（Internet Protocol）ヘッダとを除去するカプセル化復号部と、
前記カプセル化復号部で処理されたパケットデータからファイルを生成するファイル生成部と、
前記生成されたファイルを蓄積する蓄積部と、
前記蓄積部内のファイルを他の装置へ送信するためのＬＡＮインタフェースとを備える、ファイル受信装置。
【請求項６】
前記ファイル生成部は、前記カプセル化復号部で処理されたパケットデータからＦＬＵＴＥ形式に変換するために付加されたデータを除去して、前記除去したパケットデータを連結してファイルを生成する、請求項５記載のファイル受信装置。
【請求項７】
前記ファイル生成部は、画像データを含む画像ファイル、および前記画像ファイルの表示を制御する制御命令を含む制御ファイルを生成し、
前記制御ファイル内の制御命令に従って、前記画像ファイルを前記他の装置へ送信する制御部をさらに備える、請求項５記載のファイル受信装置。
【請求項８】
ファイル配信装置とファイル受信装置とからなるファイル伝送システムであって、
前記ファイル配信装置は、
ファイルを蓄積する蓄積部と、
前記蓄積部内のファイルのデータを分割してパケットデータを生成する分割部と、
前記生成されたパケットデータにＵＤＰ（User Datagram Protocol）ヘッダとＩＰ（Internet Protocol）ヘッダとを付加し、ＵＬＥ（Unidirectional Lightweight Encapsulation）に従って、前記パケットデータに、ヘッダ情報としてフラグおよびパケットサイズの情報を付加することによってカプセル化したパケットデータを生成するカプセル化部と、
前記カプセル化されたパケットデータに対して、前記蓄積部内のファイルであることを表わすＰＩＤ（Program ID）およびＴＳ（Transport Stream）ヘッダ情報を付加し、ＭＰＥＧ（Moving Picture Experts Group）トランスポートストリーム形式のパケットデータを生成するＭＰＥＧ変換部と、
ＭＰＥＧトランスポートストリーム形式のパケットデータからなるストリームをＯＦＤＭ（Orthogonal Frequency Division Multiplexing）変調する変調部と、
前記変調されたデータを送信する送信部とを含み、
前記ファイル受信装置は、
ＯＦＤＭ変調されたデータを受信する受信部と、
前記受信したＯＦＤＭ変調されたデータを復調する復調部と、
復調されたデータからファイルを含むＭＰＥＧトランスポートストリーム形式のパケットデータを、ＰＩＤに基づいて抽出し、抽出したパケットからＰＩＤおよびＴＳヘッダ情報を除去する抽出部と、
前記抽出したパケットからヘッダ情報を識別ＩＤおよびＵＤＰヘッダとＩＰヘッダとを除去するカプセル化復号部と、
前記カプセル化復号部で処理されたパケットデータからファイルを生成するファイル生成部と、
前記生成されたファイルを蓄積する蓄積部と、
前記蓄積部内のファイルを他の装置へ送信するためのＬＡＮインタフェースとを含む、ファイル伝送システム。
【発明の詳細な説明】
【技術分野】
【０００１】
本発明は、ファイル配信装置、ファイル受信装置およびファイル伝送システムに関する。
【背景技術】
【０００２】
デジタルサイネージ画像ファイルを放送波にのせて送信する技術が知られている。たとえば、特許文献１（特開２０１０−２１９００号公報）には、デジタルサイネージと、このデジタルサイネージに情報を送信する情報送信手段とを備えたシステムにおいて、デジタルサイネージが地上デジタル放送波を受信する手段を備えると共に、情報送信手段が情報を地上デジタル放送波にのせて放送することを特徴としたデジタルサイネージシステムが開示されている。
【先行技術文献】
【特許文献】
【０００３】
【特許文献１】特開２０１０−２１９００号公報
【発明の概要】
【発明が解決しようとする課題】
【０００４】
しかしながら、特許文献１のシステムでは、通常のパソコンなどで作成したファイルを配信することができない。
【０００５】
それゆえに、本発明の目的は、通常のパソコンなどで作成したファイルを効率的に配信することを可能とするファイル配信装置、そのようなファイル配信装置から送信されるファイルを受信することができるファイル受信装置、およびそれらファイル配信装置とファイル受信装置を含むファイル伝送システムを提供することである。
【課題を解決するための手段】
【０００６】
上記課題を解決するために、本発明のファイル配信装置は、ァイルを蓄積する蓄積部と、蓄積部内のファイルのデータを分割してパケットデータを生成する分割部と、生成されたパケットデータにＵＤＰ（User Datagram Protocol）ヘッダとＩＰ（Internet Protocol）ヘッダとを付加し、ＵＬＥ（Unidirectional Lightweight Encapsulation）に従って、パケットデータに、ヘッダ情報としてフラグおよびパケットサイズの情報を付加することによってカプセル化したパケットデータを生成するカプセル化部と、カプセル化されたパケットデータに対して、蓄積部内のファイルであることを表わすＰＩＤ（Program ID）およびＴＳ（Transport Stream）ヘッダ情報を付加し、ＭＰＥＧ（Moving Picture Experts Group）トランスポートストリーム形式のパケットデータを生成するＭＰＥＧ変換部と、ＭＰＥＧトランスポートストリーム形式のパケットデータからなるストリームをＯＦＤＭ（Orthogonal Frequency Division Multiplexing）変調する変調部と、変調されたデータを送信する送信部とを備える。
【０００７】
好ましくは、分割部は、ファイルを分割して、ＦＬＵＴＥ（File Delivery over Unidirectional Transport）形式のパケットデータに変換し、ＦＬＵＴＥ形式のパケットデータには、ファイルのサイズを示す情報およびファイルのデータが含まれる複数のパケットデータの中の順番を示す情報が付加される。
【０００８】
好ましくは、カプセル化部は、さらに、ＲＯＨＣ（Robust Header Compression）アルゴリズムに従って、付加されたＵＤＰヘッダおよびＩＰヘッダを圧縮する。
【０００９】
好ましくは、蓄積部は、画像データを含む画像ファイル、および画像ファイルの表示を制御する制御命令を含む制御ファイルを記憶する。
【００１０】
本発明のファイル受信装置は、ＯＦＤＭ（Orthogonal Frequency Division Multiplexing）変調されたデータを受信する受信部と、受信したＯＦＤＭ変調されたデータを復調する復調部と、復調されたデータからファイルを含むＭＰＥＧ（Moving Picture Experts Group）トランスポートストリーム形式のパケットデータを、ＰＩＤ（Program ID）に基づいて抽出し、抽出したパケットからＰＩＤおよびＴＳ（Transport Stream）ヘッダ情報を除去する抽出部と、抽出したパケットからヘッダ情報を識別ＩＤおよびＵＤＰ（User Datagram Protocol）とＩＰ（Internet Protocol）ヘッダとを除去するカプセル化復号部と、カプセル化復号部で処理されたパケットデータからファイルを生成するファイル生成部と、生成されたファイルを蓄積する蓄積部と、蓄積部内のファイルを他の装置へ送信するためのＬＡＮインタフェースとを備える。
【００１１】
好ましくは、ファイル生成部は、カプセル化復号部で処理されたパケットデータからＦＬＵＴＥ形式に変換するために付加されたデータを除去して、除去したパケットデータを連結してファイルを生成する。
【００１２】
好ましくは、ファイル生成部は、画像データを含む画像ファイル、および画像ファイルの表示を制御する制御命令を含む制御ファイルを生成し、制御ファイル内の制御命令に従って、画像ファイルを他の装置へ送信する制御部をさらに備える。
【００１３】
本発明は、ファイル配信装置とファイル受信装置とからなるファイル伝送システムであって、ファイル配信装置は、ファイルを蓄積する蓄積部と、蓄積部内のファイルのデータを分割してパケットデータを生成する分割部と、生成されたパケットデータにＵＤＰ（User Datagram Protocol）ヘッダとＩＰ（Internet Protocol）ヘッダとを付加し、ＵＬＥ（Unidirectional Lightweight Encapsulation）に従って、パケットデータに、ヘッダ情報としてフラグおよびパケットサイズの情報を付加することによってカプセル化したパケットデータを生成するカプセル化部と、カプセル化されたパケットデータに対して、蓄積部内のファイルであることを表わすＰＩＤ（Program ID）およびＴＳ（Transport Stream）ヘッダ情報を付加し、ＭＰＥＧ（Moving Picture Experts Group）トランスポートストリーム形式のパケットデータを生成するＭＰＥＧ変換部と、ＭＰＥＧトランスポートストリーム形式のパケットデータからなるストリームをＯＦＤＭ（Orthogonal Frequency Division Multiplexing）変調する変調部と、変調されたデータを送信する送信部とを含み、ファイル受信装置は、ＯＦＤＭ変調されたデータを受信する受信部と、受信したＯＦＤＭ変調されたデータを復調する復調部と、復調されたデータからファイルを含むＭＰＥＧトランスポートストリーム形式のパケットデータを、ＰＩＤに基づいて抽出し、抽出したパケットからＰＩＤおよびＴＳヘッダ情報を除去する抽出部と、抽出したパケットからヘッダ情報を識別ＩＤおよびＵＤＰヘッダとＩＰヘッダとを除去するカプセル化復号部と、カプセル化復号部で処理されたパケットデータからファイルを生成するファイル生成部と、生成されたファイルを蓄積する蓄積部と、蓄積部内のファイルを他の装置へ送信するためのＬＡＮインタフェースとを含む。
【発明の効果】
【００１４】
本発明によれば、通常のパソコンなどで作成したファイルを配信することができる。
【図面の簡単な説明】
【００１５】
【図１】本発明の実施形態のファイル伝送システムの構成を表わす図である。
【図２】第１の実施形態のファイル配信装置２、ファイル受信装置７＿１、表示制御装置８＿１＿１の構成を表わす図である。
【図３】第１の実施形態のファイル伝送システムの動作手順を表わすフローチャートである。
【図４】第２の実施形態のファイル配信装置２２、ファイル受信装置２７＿１、表示制御装置２８＿１＿１の構成を表わす図である。
【図５】第２の実施形態のファイル伝送システムの動作手順を表わすフローチャートである。
【発明を実施するための形態】
【００１６】
以下、本発明の実施形態について図面を参照して説明する。
［第１の実施形態］
図１は、本発明の実施形態のファイル伝送システムの構成を表わす図である。
【００１７】
このファイル伝送システムは、ファイル配信装置２と、複数の受信システム５＿１〜５＿４と、複数の表示モニタ６＿１＿１〜６＿４＿Ｎとを備える。
【００１８】
ファイル配信装置２は、自主放送用のコンテンツとしてサイネージ画像を含む画像ファイルを作成して、放送局から送信されるＩＳＤＢ−Ｔ（Integrated Services Digital Broadcasting for Terrestrial）方式の信号と同じ形式の信号に変換して出力する。
【００１９】
受信システム５＿ｉ（ｉ＝１〜４）は、ファイル受信装置７＿ｉ（ｉ＝１〜４）と、複数の表示制御装置８＿ｉ＿１〜８＿ｉ＿Ｎ（ｉ＝１〜４）を含む。ファイル受信装置７＿ｉ（ｉ＝１〜４）と、複数の表示制御装置８＿ｉ＿１〜８＿ｉ＿Ｎ（ｉ＝１〜４）との間は、ＬＡＮ（Local Area Network）２２＿ｉ（ｉ＝１〜４）で接続される。
【００２０】
ファイル受信装置７＿ｉ（ｉ＝１〜４）は、受信した信号から得られた画像ファイルをＬＡＮ２２＿i（ｉ＝１〜４）を介して、表示制御装置８＿ｉ＿１〜８＿ｉ＿Ｎ（ｉ＝１〜４）へ出力する。
【００２１】
表示制御装置８＿ｉ＿１〜８＿ｉ＿Ｎ（ｉ＝１〜４）は、ファイル受信装置７＿ｉ（ｉ＝１〜４）から送られた画像ファイルに含まれるサイネージ画像を表示モニタ６＿ｉ＿１〜６＿ｉ＿Ｎ（ｉ＝１〜４）へ出力する。
【００２２】
ファイル配信装置２、ファイル受信装置７＿ｉ（ｉ＝１〜４）および表示制御装置８＿ｉ＿１〜８＿ｉ＿Ｎ（ｉ＝１〜４）は、たとえばパソコンで実現され、表示モニタ６＿ｉ＿１〜６＿ｉ＿Ｎ（ｉ＝１〜４）がパソコンのディスプレイまたはテレビのスクリーンで実現されているものとする。
【００２３】
図２は、第１の実施形態のファイル配信装置２、ファイル受信装置７＿１、表示制御装置８＿１＿１の構成を表わす図である。ファイル受信装置７＿２〜７＿４は、ファイル受信装置７＿１の構成と同様であり、表示制御装置８＿１＿２〜８＿１＿Ｎ、８＿ｉ＿１〜８＿ｉ＿Ｎ（ｉ＝２〜４）の構成は、表示制御装置８＿１＿１の構成と同様である。
【００２４】
図２に示すように、ファイル配信装置２は、ファイル蓄積部１１と、ファイル分割部１２と、ＩＰ（Internet Protocol）カプセル化部１３と、ＭＰＥＧ−２ＴＳ（Moving Picture Experts Group -2 Transport Stream）変換部１４と、ＯＦＤＭ（Orthogonal Frequency Division Multiplexing）変調部１５と、送信部２５とを備える。
【００２５】
ファイル蓄積部１１は、サイネージ画像データを含む画像ファイルを記憶する。
ファイル分割部１２は、ファイル蓄積部１１内の画像ファイルを分割する。具体的には、ファイル分割部１２は、画像ファイルを分割して、ＦＬＵＴＥ（File Delivery over Unidirectional Transport）形式のパケットデータに変換する。ＦＬＵＴＥ形式のパケットデータには、画像ファイルのサイズを示す情報および画像ファイルのデータが含まれる複数のパケットデータの中の順番を示す情報が含まれる。
【００２６】
ＩＰカプセル化部１３は、ファイル分割部１２で生成されたパケットデータにＵＤＰ（User Datagram Protocol）ヘッダとＩＰヘッダとを付加する。ＩＰカプセル化部１３は、さらに、ＲＯＨＣ（Robust Header Compression）アルゴリズムに従って、付加されたＵＤＰヘッダおよびＩＰヘッダを圧縮する。さらに、ＩＰカプセル化部１３は、ＵＬＥ（Unidirectional Lightweight Encapsulation）に従って、パケットデータに、ヘッダ情報として、フラグおよびパケットサイズの情報を付加して、データカプセル化を行なう。
【００２７】
ＭＰＥＧ−２ＴＳ変換部１４は、ＩＰカプセル化部１３で生成されたパケットデータに対して、このパケットデータが画像ファイルの一部を含むことを示す識別ＩＤ（ＰＩＤ（Program ID））およびＴＳ（Transport Stream）ヘッダ情報を付加し、ＭＰＥＧ−２ＴＳ形式のパケットデータを生成する。ＭＰＥＧ−２ＴＳ変換部１４は、生成したパケットデータからなるＭＰＥＧ−２トランスポートストリームを出力する。
【００２８】
ＯＦＤＭ変調部１５は、ＭＰＥＧ−２ＴＳ変換部１４で生成されたＭＰＥＧ−２トランスポートストリームをＯＦＤＭ変調する。
【００２９】
送信部２５は、ＯＦＤＭ変調された信号をアンテナまたは同軸ケーブルを通じて送信する。
【００３０】
ファイル受信装置７＿１は、受信部２６と、ＯＦＤＭ復調部１９と、抽出部１８と、ＩＰカプセル化復号部１７と、ファイル生成部１６と、ファイル蓄積部２０と、ＬＡＮインタフェース部２１とを備える。
【００３１】
受信部２６は、ＯＦＤＭ変調された信号をアンテナまたは同軸ケーブルを通じて受信する。
【００３２】
ＯＦＤＭ復調部１９は、受信した信号をＯＦＤＭ復調する。
抽出部１８は、復調された信号から画像ファイルを含むＭＰＥＧ−２ＴＳのパケットデータを、識別ＩＤ（ＰＩＤ）に基づいて抽出し、抽出したパケットから識別ＩＤ（ＰＩＤ）およびＴＳヘッダ情報を除去する。
【００３３】
ＩＰカプセル化復号部１７は、抽出されたパケットデータから、ヘッダ情報を除去する。ＩＰカプセル化復号部１７は、さらに、パケットデータから、ＵＤＰヘッダおよびＩＰヘッダを除去する。
【００３４】
ファイル生成部１６は、ＩＰカプセル化復号部１７で処理されたパケットデータからＦＬＵＴＥ形式に変換するために付加されたデータを除去する。ファイル生成部１６は、ＦＬＵＴＥ形式のパケットデータに含まれていた順番を示す情報に基づいて、パケットデータを連結する。ファイル生成部１６は、連結されたデータを、元の画像ファイルと同じファイル形式、名称および容量等のファイルに復元して、ファイル蓄積部２０へ保存する。
【００３５】
ＬＡＮインタフェース部２１は、ファイル蓄積部２０内の画像ファイルをＬＡＮ２２＿＿１を通じて、表示制御装置８＿１＿１へ送信する。
【００３６】
表示制御装置８＿１＿１は、ＬＡＮインタフェース部２３と、制御部２４とを備える。
制御部２４は、ユーザからの操作などに基づいて、画像ファイルの送信の要求、および画像ファイルの受信を行なう。制御部２４は、受信した画像ファイルに含まれるサイネージ画像を表示モニタ６＿１＿１にＨＤＭＩ（High-Definition Multimedia Interface）ケーブルを介して出力する。
【００３７】
ＬＡＮインタフェース部２３は、ＬＡＮ２２＿１を通じてファイル受信装置７＿１から画像ファイルを受信し、ファイル受信装置７＿１へ画像ファイルの送信要求を送信する。
【００３８】
（動作）
図３は、第１の実施形態のファイル伝送システムの動作手順を表わすフローチャートである。
【００３９】
まず、ファイル配信装置２のファイル分割部１２は、ファイル蓄積部１１内の画像ファイルを分割して、ＦＬＵＴＥ（File Delivery over Unidirectional Transport）形式のパケットデータに変換する（ステップＳ１０１）。
【００４０】
次に、ファイル配信装置２のＩＰカプセル化部１３は、ファイル分割部１２で生成されたパケットデータにＵＤＰヘッダとＩＰヘッダとを付加し、ＲＯＨＣアルゴリズムに従って、付加されたＵＤＰヘッダおよびＩＰヘッダを圧縮し、ＵＬＥに従って、パケットデータに、ヘッダ情報として、フラグおよびパケットサイズの情報を付加して、データカプセル化を行なう（ステップＳ１０２）。
【００４１】
次に、ファイル配信装置２のＭＰＥＧ−２ＴＳ変換部１４は、ＩＰカプセル化部１３で生成されたパケットデータに対して、このパケットデータが画像ファイルの一部を含むことを示すＰＩＤおよびＴＳヘッダ情報を付加し、ＭＰＥＧ−２ＴＳ形式のパケットデータを生成する（ステップＳ１０３）。
【００４２】
次に、ファイル配信装置２のＯＦＤＭ変調部１５は、ＭＰＥＧ−２ＴＳ変換部１４で生成されたＭＰＥＧ−２トランスポートストリームをＯＦＤＭ変調する（ステップＳ１０４）。
【００４３】
次に、ファイル配信装置２の送信部２５は、ＯＦＤＭ変調された信号をアンテナまたは同軸ケーブルを通じて送信する（ステップＳ１０５）。
【００４４】
次に、ファイル受信装置７＿１の受信部２６は、ＯＦＤＭ変調された信号をアンテナまたは同軸ケーブルを通じて受信する（ステップＳ１０６）。
【００４５】
次に、ファイル受信装置７＿１のＯＦＤＭ復調部１９は、受信した信号をＯＦＤＭ復調する（ステップＳ１０７）。
【００４６】
次に、ファイル受信装置７＿１の抽出部１８は、復調された信号から画像ファイルを含むＭＰＥＧ−２ＴＳのパケットデータを、ＰＩＤに基づいて抽出し、抽出したパケットからＰＩＤおよびＴＳヘッダ情報を除去する（ステップＳ１０８）。
【００４７】
次に、ファイル受信装置７＿１のＩＰカプセル化復号部１７は、抽出されたパケットデータから、ヘッダ情報（フラグおよびパケットサイズ）を除去し、さらに、パケットデータから、ＵＤＰヘッダおよびＩＰヘッダを除去する（ステップＳ１０９）。
【００４８】
次に、ファイル受信装置７＿１のファイル生成部１６は、ＩＰカプセル化復号部１７で処理されたパケットデータからＦＬＵＴＥ形式に変換するために付加されたデータを除去し、ＦＬＵＴＥ形式のパケットデータに含まれていた順番を示す情報に基づいて、パケットデータを連結してファイルを生成して、ファイル蓄積部２０に記憶する（ステップＳ１１０）。
【００４９】
次に、表示制御装置８＿１＿１の制御部２４は、ＬＡＮインタフェース部２３を用いて、画像ファイルの送信要求をＬＡＮ２２＿１を介して、ファイル受信装置７＿１へ送信する（ステップＳ１１１）。
【００５０】
次に、ファイル受信装置７＿１のＬＡＮインタフェース部２３は、画像ファイルの送信要求を受けて、ファイル蓄積部２０内の画像ファイルを表示制御装置８＿１＿１へ送信する（ステップＳ１１２）。
【００５１】
次に、表示制御装置８＿１＿１のＬＡＮインタフェース部２３は、ＬＡＮ２２＿１を介して、画像ファイルを受信する（ステップＳ１１３）。
【００５２】
次に、表示制御装置８＿１＿１の制御部２４は、受信した画像ファイルに含まれるサイネージ画像を表示モニタ６＿１＿１に出力する（ステップＳ１１４）。
【００５３】
［第２の実施形態］
第１の実施形態では、ファイル配信装置からファイル受信装置に画像ファイルが伝送されることとしたが、第２の実施形態では、画像ファイルに加えて制御ファイルも送信する。
【００５４】
図４は、第２の実施形態のファイル配信装置２２、ファイル受信装置２７＿１、表示制御装置２８＿１＿１の構成を表わす図である。
【００５５】
図４の構成が、図２の第１の実施形態の構成と相違する点は、以下である。
ファイル配信装置２２内のファイル蓄積部５１は、サイネージ画像データを含む画像ファイル、および画像ファイルの表示を制御する制御命令を含む制御ファイルを記憶する。
【００５６】
制御命令は、たとえば、画像ファイル名を指定した表示命令、画像ファイル名と表示時刻を指定した表示命令、画像ファイル名と表示する表示制御装置のアドレスを指定した表示命令である。
【００５７】
ファイル受信装置２７＿１内のファイル蓄積部６０は、ファイル生成部１６で生成された画像ファイルおよび制御ファイルを記憶する。
【００５８】
ファイル受信装置２７＿１内の制御部６１は、ファイル蓄積部６０内の制御ファイルに含まれる制御命令に基づいて、ファイル蓄積部６０内の画像ファイルを読み出して、ＬＡＮインタフェース部２１を通じて、表示制御装置２８＿１＿１へ送信する。
【００５９】
表示制御装置２８＿１＿１内の制御部５４は、ファイル受信装置２７＿１から送られてきた画像ファイルに含まれるサイネージ画像を表示モニタ６＿１＿１にＨＤＭＩケーブルを介して出力する。
【００６０】
（動作）
図５は、第２の実施形態のファイル伝送システムの動作手順を表わすフローチャートである。
【００６１】
まず、ファイル配信装置２２のファイル分割部１２は、ファイル蓄積部５１内の画像ファイルおよび制御ファイルを分割して、ＦＬＵＴＥ（File Delivery over Unidirectional Transport）形式のパケットデータに変換する（ステップＳ２０１）。
【００６２】
次に、ファイル配信装置２２のＩＰカプセル化部１３は、ファイル分割部１２で生成されたパケットデータにＵＤＰヘッダとＩＰヘッダとを付加し、ＲＯＨＣアルゴリズムに従って、付加されたＵＤＰヘッダおよびＩＰヘッダを圧縮し、ＵＬＥに従って、パケットデータに、ヘッダ情報として、フラグおよびパケットサイズの情報を付加して、データカプセル化を行なう（ステップＳ２０２）。
【００６３】
次に、ファイル配信装置２２のＭＰＥＧ−２ＴＳ変換部１４は、ＩＰカプセル化部１３で生成されたパケットデータに対して、このパケットデータが画像ファイルおよび制御ファイルの一部を含むことを示すＰＩＤおよびＴＳヘッダ情報を付加し、ＭＰＥＧ−２ＴＳ形式のパケットデータを生成する（ステップＳ２０３）。
【００６４】
次に、ファイル配信装置２２のＯＦＤＭ変調部１５は、ＭＰＥＧ−２ＴＳ変換部１４で生成されたＭＰＥＧ−２トランスポートストリームをＯＦＤＭ変調する（ステップＳ２０４）。
【００６５】
次に、ファイル配信装置２２の送信部２５は、ＯＦＤＭ変調された信号をアンテナを通じて送信する（ステップＳ２０５）。
【００６６】
次に、ファイル受信装置２７＿１の受信部２６は、ＯＦＤＭ変調された信号をアンテナを通じて受信する（ステップＳ２０６）。
【００６７】
次に、ファイル受信装置２７＿１のＯＦＤＭ復調部１９は、受信した信号をＯＦＤＭ復調する（ステップＳ２０７）。
【００６８】
次に、ファイル受信装置２７＿１の抽出部１８は、復調された信号から画像ファイルを含むＭＰＥＧ−２ＴＳのパケットデータを、ＰＩＤに基づいて抽出し、抽出したパケットからＰＩＤおよびＴＳヘッダ情報を除去する（ステップＳ２０８）。
【００６９】
次に、ファイル受信装置２７＿１のＩＰカプセル化復号部１７は、抽出されたパケットデータから、ヘッダ情報（フラグおよびパケットサイズ）を除去し、さらに、パケットデータから、ＵＤＰヘッダおよびＩＰヘッダを除去する（ステップＳ２０９）。
【００７０】
次に、ファイル受信装置２７＿１のファイル生成部１６は、ＩＰカプセル化復号部１７で処理されたパケットデータからＦＬＵＴＥ形式に変換するために付加されたデータを除去し、ＦＬＵＴＥ形式のパケットデータに含まれていた順番を示す情報に基づいて、パケットデータを連結して画像ファイルおよび制御ファイルを生成して、ファイル蓄積部６０に記憶する（ステップＳ２１０）。
【００７１】
次に、ファイル受信装置２７＿１の制御部６１は、ファイル蓄積部６０内の制御ファイルに含まれる制御命令に基づいて、ファイル蓄積部６０内の画像ファイルを読み出して、ＬＡＮインタフェース部２１へ出力し、ＬＡＮインタフェース部２１は、ＬＡＮ２２＿１を介して、画像ファイルを表示制御装置２８＿１＿１へ送信する（ステップＳ２１１）。
【００７２】
次に、表示制御装置２８＿１＿１のＬＡＮインタフェース部２３は、ＬＡＮ２２＿１を介して、画像ファイルを受信する（ステップＳ２１２）。
【００７３】
次に、表示制御装置２８＿１＿１の制御部５４は、受信した画像ファイルに含まれるサイネージ画像を表示モニタ６＿１＿１に出力する（ステップＳ２１３）。
【００７４】
（変形例）
本発明は、上記の実施形態に限定されるものではなく、たとえば、以下のような変形例も含む。
【００７５】
（１）ファイル配信装置から送信される信号を放送局からの信号の空きチャネルを通じて送信し、混合器で放送局からの信号とファイル配信装置からの信号とを混合して送信するものとしてもよい。
【００７６】
（２）ファイル配信装置のＩＰカプセル化部で付与されるＵＤＰヘッダにおいて、送信先のファイル受信装置を指定し、ファイル受信装置では、自装置宛てのファイルのみを受信することとしてもよい。
【００７７】
（３）ファイル配信装置とファイル受信装置との間でファイル蓄積部内のファイルをＮＦＳ（Network File System）、ＳＭＢ（Server Message Block）などのプロトコルによって、共有できる構成としてもよい。
【００７８】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００７９】
２，２２  ファイル配信装置、５＿１〜５＿４  受信システム、６＿１＿１〜６＿１＿Ｎ，６＿２＿１〜６＿２＿Ｎ，６＿３＿１〜６＿３＿Ｎ，６＿４＿１〜６＿４＿Ｎ  表示モニタ、７＿１〜７＿４，２７＿１  ファイル受信装置、８＿１＿１〜８＿１＿Ｎ，８＿２＿１〜８＿２＿Ｎ，８＿３＿１〜８＿３＿Ｎ，８＿４＿１〜８＿４＿Ｎ  表示制御装置、２２＿１〜２２＿４  ＬＡＮ、２８＿１＿１  表示制御装置、１１，５１，２０，６０  ファイル蓄積部、１２  ファイル分割部、１３  ＩＰカプセル化部、１４  ＭＰＥＧ―２ＴＳ変換部、１５  ＯＦＤＭ変調部、１６  ファイル生成部、１７  ＩＰカプセル化復号部、１８  抽出部、１９  ＯＦＤＭ復調部、２１，２３  ＬＡＮインタフェース部、２４，５４，６１  制御部、２５  送信部、２６  受信部。
【図１】
2013175820.tif 000003
【図２】
2013175820.tif 000004
【図３】
2013175820.tif 000005
【図４】
2013175820.tif 000006
【図５】
2013175820.tif 000007